(57)【要約】【課題】環境問題等を発生することなく飲食店等における配水管の詰まりを容易に除去できるようにする。【解決手段】貝殻粉の混合水Ｈと、混合水Ｈを貯留するタンク３と、タンク３内の混合水Ｈを攪拌する攪拌手段１０と、攪拌された混合水Ｈをタンク３外に吐出する吐出手段１２、１３と、吐出手段１２、１３により吐出される混合水Ｈを排水管内に導くための導水手段２８とを備えてなる排水管詰まり除去装置。【選択図】  図３
2007107357.tif 000002
【特許請求の範囲】
【請求項１】
貝殻粉の混合水と、
前記混合水を貯留するタンクと、
前記タンク内の混合水を攪拌する攪拌手段と、
前記攪拌された混合水をタンク外に吐出する吐出手段と、
前記吐出手段により吐出される混合水を排水管内に導くための導水手段と、
を備えてなることを特徴とする排水管詰まり除去装置。
【請求項２】
前記貝殻粉をホタテ貝殻粉とする請求項１記載の排水管詰まり除去装置。
【発明の詳細な説明】
【技術分野】
【０００１】  この発明は、排水管詰まり除去装置に関する。
【背景技術】
【０００２】  厨房の流し台からの排水が流される排水管は、排水に含まれる残屑により詰まることがある。とくに流し台の使用頻度が高い飲食店ではで排水管がよく詰まり、その際には高圧洗浄機によりその詰まりを除去するようにしている。
【発明の開示】
【発明が解決しようとする課題】
【０００３】  上記高圧洗浄機は、ノズルから高圧の水流を排水管内に噴射してその水圧により詰まりを除去しようとするものであるが、詰まり物質が油分を含み凝固して排水管面に固着している場合には容易に除去できず、その作業に非常に手間がかかり、飲食店の営業に支障をきたす場合もあった。油分を溶かすためにアルカリ洗剤等を併せ用いることも行われるが、除去は十分に行われず、また、多量に用いるとその廃液が環境汚染の原因となる問題が発生した。【０００４】  この発明は上記の事情に鑑みて行ったもので、環境問題等を発生することなく飲食店等における配水管の詰まりを容易に除去できるようにすることを目的とする。
【課題を解決するための手段】
【０００５】  この発明では、貝殻粉の混合水と、前記混合水を貯留するタンクと、前記タンク内の混合水を攪拌する攪拌手段と、前記攪拌された混合水をタンク外に吐出する吐出手段と、
前記吐出手段により吐出される混合水を排水管内に導くための導水手段とを備えてなることを特徴とする排水管詰まり除去装置を提供する。【０００６】  この発明の装置によれば、貝殻粉の混合水が攪拌されて配水管に吐出される。混合水内の貝殻粉はアルカリ性である炭酸カルシウムや炭酸マグネシウムの成分を含み、それら成分により食用油等に含まれるエステル基が加水分解される。その加水分解物が界面活性材として機能することで油と水を乳化させて配水管の内面にへばりついた油汚れを剥す。この油汚れ除去作用に、混合水の吐出圧が付加されることで油汚れを一体とする配管内の詰り物が除去される。【０００７】  貝殻粉としては適宜のものが使用可能であるが、炭酸カルシウムや炭酸マグネシウムの成分を豊富に含み、また、多量に確保可能な点においてホタテ貝殻が好適に使用できる。また、吐出混合水内にエアを加圧混入させてマイクロバブルを発生させることにより、そのマイクロバブルの振動作用によって詰り除去効果が高められる。
【発明の効果】
【０００８】  この発明の装置を用いることで、環境汚染の問題を発生することなく飲食店等における配水管の詰まりを容易に除去できるようになった。
【発明を実施するための最良の形態】
【０００９】  図１はこの発明の排水管詰まり除去装置の実施形態の平面構成図、図２は側面構成図、図３は前面構成図である。【００１０】  排水管詰まり除去装置１は縦長直方体形状であり、その上方内部に貝殻粉の混合水Ｈを貯留するタンク３が設けられ、その下方内部が機械室４とされている。タンク３上部には開閉可能な蓋５が取り付けられている。６は移動用のキャスターであり、装置１の後方下部の両側に設けられ、その逆側の前方下部の両側には支持脚８それぞれが設けられている。９は移動用把手で、この把手９が持たれ支持脚８側が浮かされた状態においてキャスター６の回動により装置１は所望の位置に移動され、前側が支持脚８それぞれで支持される状態において所望の位置に固定配置できるようになっている。【００１１】  機械室４内には、混合水Ｈを攪拌する攪拌手段としてのブロアー１０、攪拌された混合水Ｈをタンク３外に吐出する吐出手段としてのポンプ１２とその駆動用モータ１３とが配置されている。【００１２】  ブロアー１０は、図４に示すように、内部のファンの作動により底面側から吸い込んだエアを両側に設けられた２個の排出穴１５から排出するように構成され、その排出穴１５に接続される排気管１７それぞれは、図５に示すように、タンク３底部の相対向する角部近傍に配置され、この排気管１７それぞれの端部からエアが異なる方向に噴出されることでタンク３内底部に渦流Ｚが発生され、これにより貝殻粉の混合水Ｈを攪拌するようになっている。【００１３】  ポンプ１２は、図６に示すように、内部に設けられる回転作動体が回転することにより側位置に設けられた吸入口１８から吸い込んだ混合水Ｈを上位置に設けられた排出口１９から排出するように構成されている。２０は駆動用モータ１３からの回転駆動力がベルトにより伝達されるプーリーで、このプーリー２０が回転されることでそれに同軸の回転作動体が回転してポンプ２０内部に混合水Ｈを吸入口１８から吸い込み、排出口１９から排出するようになっている。２２はエアの注入穴であり、この注入穴２２から混合水Ｈ内にエアが注入される。【００１４】  図示しないが、ポンプ１２の上記排出口１９には排出用パイプが、上記エアの注入口２２にはエア注入用パイプがそれぞれ接続され、それらのパイプ端は装置１の一方側面に形成される接続開口２４、２６の内側にそれぞれ接続されている。それら接続開口２４、２６においてポンプ１２からの排出用パイプが接続された接続開口２４には、図３に示すように混合水Ｈを詰り排水管内に導くための導水手段としての吐出用ホース２８が、エア注入用パイプが接続された接続開口２６にはコンプレッサーからのエアパイプ２９がそれぞれ外方から接続される。ポンプの吸入口１８には、図示しないが、タンク３側に接続される吸入パイプが接続される。なお図２は上記吐出用ホース２８、エアパイプ２９をともに外した状態を示している。【００１５】  以下、上記装置１の使用に際しての動作説明をおこなう。使用に際しては装置１の接続開口２４、２６にそれぞれに吐出用ホース２８、エアパイプ２９それぞれを接続しておき、吐出用ホース２８端を詰りを除去する配水管内に差し入れて接続する。この際、排水管の詰り度合いが大きい場合���は作動時にその接続部から混合水Ｈが漏れ出すことがあるので、その接続部をテープ等により密封しておく。次に、タンク３内に蓋５を開いて１００リットルの水を入れるとともに５ｋｇの貝殻粉としてのホタテ貝殻の焼成パウダーを投入して、装置１のメインスイッチをＯＮする。【００１６】  これによりブロアー１０が作動されることでタンク３内において渦流Ｚによりホタテ貝殻の焼成パウダーの混合水Ｈの攪拌が行われ、この段階で吐出用ホース２８端近傍に設けられた作動スイッチ３０をＯＮすると駆動用モータ１３の駆動によりポンプ１２が作動され、、タンク３内の攪拌中の混合水Ｈがタンク３からポンプ１２、排出用パイプ、吐出用ホース２８を介して排水管内に送り込まれる。作動スイッチ３０のＯＮに伴ってエアパイプ２９が接続されるコンプレッサーも同時に作動され、これによりポンプ１２において注入穴２２から混合水Ｈ内にエアが注入され、このエア圧も加えられることで混合水Ｈは５気圧程度の圧力で配水管内に吐出される。例えば、毎分２０リットルの混合水Ｈを吐出することで５分間動作を継続し、それにより詰り除去が十分でない場合にはさらに上記の作業を繰り返し行う。【００１７】  排水管内に注入される混合水Ｈ内のホタテ貝殻の焼成パウダーは高いアルカリ性（ＰＨ９．５程度）の炭酸カルシウムや炭酸マグネシウムの成分を豊富に含み、それら成分により食用油等に含まれるエステル基が加水分解される。その加水分解物が界面活性材として機能することで油と水を乳化させて配水管の内面にへばりついた油汚れを剥す。この油汚れ除去作用に、混合水Ｈの水圧、さらに、エア注入によるマイクロバブルの振動作用が相乗的に付加されることで油汚れを一体とする配水管内の詰り物が容易に除去される。【００１８】  排水管から汚れとともに排出される混合水Ｈは、ホタテ貝殻粉という自然素材を用いていることでその量が多くなる場合も環境汚染の問題もなくそのまま下水に廃水として排出できる。また、この装置１を用いて配水管を定期的に清掃することで、ホタテ貝殻の持つ消臭機能と殺菌機能により厨房環境を良好に維持できるようになるという付加的利点も発生する。
【図面の簡単な説明】
【図１】  この発明の排水管詰まり除去装置の実施形態の平面構成図
【図２】  この発明の排水管詰まり除去装置の実施形態の一方面側の側面構成図
【図３】  この発明の排水管詰まり除去装置の実施形態の正面構成図
【図４】  この発明の排水管詰まり除去装置の実施形態において用いるブロアーの外観斜視図
【図５】  この発明の排水管詰まり除去装置の実施形態におけるタンク内に発生させる渦流説明図
【図６】  この発明の排水管詰まり除去装置の実施形態において用いるポンプの外観斜視図
【符号の説明】
Ｈ  混合水
３  タンク
１０  ブロアー（攪拌手段）
１２  ポンプ（吐出手段）
１３  駆動用モータ（吐出手段）
２８  吐出用ホース（導水手段）
【図１】
2007107357.tif 000003
【図２】
2007107357.tif 000004
【図３】
2007107357.tif 000005
【図４】
2007107357.tif 000006
【図５】
2007107357.tif 000007
【図６】
2007107357.tif 000008